(57)【要約】【課題】デジタル方式で表示されるディスプレイ装置において、容易に擬似輪郭の発生を防止する表示方法および表示装置を提供する。【解決手段】表示装置１は、マトリックスに配置された発光素子で構成された表示部２と、表示部２へ発光指示を送信する制御装置５にて構成されたデジタル方式の表示装置であって、制御装置５は、表示データを記憶するフレームメモリ８と、１フレームを所定の発光時間幅を有する複数のサブフレームに分割し、前記各サブフレームの表示期間を２分割した分割サブフレームとし、１フレームにおける分割サブフレームの発光順序を、発光時間の最も短い分割サブフレームから発光時間の最も長い前記サブフレームの順に表示した後、発光時間の最も長いサブフレームから発光時間の最も短い前記分割サブフレームの順に表示するよう制御する表示制御部９から構成される。【選択図】図１
2005084306.tif 000002
【特許請求の範囲】
【請求項１】
１フレームを複数のサブフレームに分割し、前記サブフレームは所定の発光時間を有し、前記サブフレームの発光の有無によって、階調表示をするデジタル方式の表示装置の表示方法において、
前記各サブフレームを分割サブフレームとして発光時間を２分割し、１フレームにおける前記分割サブフレームの発光順序を、発光時間の最も短い前記分割サブフレームから発光時間の最も長い前記分割サブフレームの順に表示をした後、発光時間の最も長い前記分割サブフレームから発光時間の最も短い前記分割サブフレームの順とすることを特徴とする表示方法。
【請求項２】
前記サブフレームが所定の発光時間以下の場合は、前記サブフレームを分割しない非分割サブフレームとし、１フレームにおける発光順序を、前記分割サブフレームを表示した後に、前記非分割サブフレームを表示することを特徴とする請求項１記載の表示方法。
【請求項３】
前記サブフレームが所定の発光時間以上の場合は、前記サブフレームを所定の発光時間となるよう等分割して多分割サブフレームとし、前記多分割サブフレームは、１フレーム表示中に連続して表示しないことを特徴とする請求項１または２の表示方法。
【請求項４】
マトリックスに配置された発光素子で構成された表示部と、前記表示部へ表示データを送信する制御装置にて構成されたデジタル方式の表示装置であって、
前記制御装置は、表示データを記憶するフレームメモリと、１フレームを所定の発光時間を有する複数のサブフレームに分割し、前記各サブフレームを分割サブフレームとして発光時間を２分割し、１フレームにおける前記分割サブフレームの発光順序を、発光時間の最も短い前記分割サブフレームから発光時間の最も長い前記分割サブフレームの順に表示した後、発光時間の最も長い前記分割サブフレームから発光時間の最も短い前記分割サブフレームの順に表示する表示制御部から構成されることを特徴とする表示装置。
【請求項５】
前記表示制御部は、前記サブフレームが所定の発光時間以下の場合は、前記サブフレームを分割しない非分割サブフレームとし、１フレームにおける発光順序を、前記分割サブフレームを表示した後に、前記非分割サブフレームを表示することを特徴とする請求項４記載の表示装置。
【請求項６】
前記表示制御部は、前記サブフレームが所定の発光時間以上の場合は、前記サブフレームを所定の発光時間となるよう等分割して多分割サブフレームとし、同一発光重みを有する前記多分割サブフレームは、１フレーム表示中に連続して表示しないことを特徴とする請求項４または５の表示装置。
【発明の詳細な説明】
【技術分野】
【０００１】
デジタル方式で表示されるディスプレイ装置で、１フレームをサブフレームに分割して階調表示をする表示装置および表示方法に関する。
【背景技術】
【０００２】
ＰＤＰ（Plasma Display Panel）やＬＥＤ（Light Emitting Diode）で動画表示する場合には、ＣＲＴ（Cathode Ray Tube）のように動画を構成する各画像の画素ごとの輝度を電子ビームの強さをアナログ量で制御する方法とは異なり、発光時間の長さで表現をしている。
【０００３】
このような、デジタル方式で表示されるディスプレイ装置においては、ビット反転が多く、例えばデータ値６３から６４、１２７から１２８等の階調間のビット反転が多い箇所で目の錯覚による擬似輪郭という現象が発生する。
【０００４】
図１１にて、従来の表示方法において擬似輪郭が発生する原理の説明を行う。
【０００５】
図１１は、１フレームを４分割して１サブフレームとした例である。各サブフレームの発光時間は、１：２：４：８の２のべき乗とすると、全てが発光しない「０」から全てが発光する１＋２＋４＋８＝１５までの１６階調の表示が可能となる。
【０００６】
サブフレームをビット列に対応させ、サブフレーム１をＬＳＢであるビット０、サブフレーム２をビット１、サブフレーム３をビット２、サブフレーム４をＭＳＢであるビット３とし、点灯順序をＬＳＢからＭＳＢまで点灯させる。人は、移動する画像を目で追う習性があるため、１フレームごとに画像が動いた場合、図１１のように７から８の間に発光しない「０」の線が、擬似輪郭として見える。このように、本来存在しない色や線が見えるため、著しく違和感が生じることとなる。
【０００７】
このような擬似輪郭を防止する表示方法が、例えば特許文献１に記載されている。
【０００８】
特許文献１によると、最も発光重みを有する複数のサブフィールドを上位サブフィールドとし、これ以外の２のべき乗の発光重み比率を有するサブフィールドを下位フィールドとする。この上位サブフィールと下位サブフィールドの組み合わせにより、１フィールド内の前半に発光を集中させる発光パターンと１フィールドの後半で発光を集中させる発光パターンとを、画面内で上下左右に隣接する画素で交互になるようにすることが記載されている。
【０００９】
また、別な表示方法が、特許文献２に記載されている。
【００１０】
特許文献２によると、サブフレームの時間を可変とし、１フレーム当たりのサブフレーム数を減少させサステイン期間を長くすることで輝度を上げる方法や、２フレームを通じて階調表示の制御を行い、前半フレームを所定のレベルの増減をした場合、それに応じて後半フレームに所定のレベル変更をすることで、階調表示をすることが記載されている。
【特許文献１】特開平１０−３９８３１号公報（段落番号００１７−００１８、００２４）
【特許文献２】特開平１０−１７１４００号公報（段落番号００２５−００３０）
【発明の開示】
【発明が解決しようとする課題】
【００１１】
しかしながら、特許文献１に記載された表示方法では、画面内の各画素の発光パターンを１フレーム内で前半と後半で発光輝度を変え、また、各ドットごとに２つに輝度情報を持つ必要があるため、制御が煩雑で、ドットごとの記憶容量が２倍必要となる。
【００１２】
また、特許文献２に記載された表示方法では、１フレーム内の輝度を上げることはできるが、サブフレーム数を減少させ、下位ビットの走査をしないため、階調表現の精度が低下する。また、２フレーム通じて階調表示の制御を行うため、常に２フレーム分の表示データを保持する必要がある。
【００１３】
そこで本発明は、デジタル方式で表示されるディスプレイ装置において、容易に擬似輪郭の発生を防止する表示方法および表示装置を提供する。
【課題を解決するための手段】
【００１４】
この課題を解決するために本発明は、分割サブフレームとして、各サブフレームの表示期間を２分割し、１フレームにおける分割サブフレームの発光順序を、発光時間の最も短い分割サブフレームから発光時間の最も長い分割サブフレームの順に表示をした後、発光時間の最も長い分割サブフレームから発光時間の最も短い分割サブフレームの順とすることを特徴とする表示方法である。これにより、時間的な発光の重心がフレームの中央となるように表示することで、擬似輪郭が防止できる。
【発明の効果】
【００１５】
以上説明したように、本発明によると、以下の効果を奏する。
【００１６】
（１）時間的な発光の重心がフレームの中央となるように表示することで、擬似輪郭が防止できる。
【００１７】
（２）所定の発光時間以下のサブフレームを非分割フレームとすることで、高速に動作可能なフレームメモリや表示制御部を必要としない。
【００１８】
（３）所定の発光時間以下のサブフレームを非分割フレームとすることで、サブフレームとサブフレームの切替え時間を削減できるとともに、発光素子のスイッチング速度の許す範囲で擬似輪郭が防止できる。
【００１９】
（４）所定の発光時間以上のサブフレームを多分割フレームとすることで、擬似輪郭が防止でき、より改善された画像とすることができる。
【発明を実施するための最良の形態】
【００２０】
本願の請求項１に記載の発明は、１フレームを複数のサブフレームに分割し、前記サブフレームは所定の発光時間を有し、前記サブフレームの発光の有無によって、階調表示をするデジタル方式の表示装置の表示方法において、前記各サブフレームを分割サブフレームとして発光時間を２分割し、１フレームにおける前記分割サブフレームの発光順序を、発光時間の最も短い前記分割サブフレームから発光時間の最も長い前記分割サブフレームの順に表示をした後、発光時間の最も長い前記分割サブフレームから発光時間の最も短い前記分割サブフレームの順とすることを特徴とする表示方法としたものであり、時間的な発光の重心がフレームの中央となるように表示することで、擬似輪郭が防止できる表示方法である。
【００２１】
請求項２に記載の発明は、前記サブフレームが所定の発光時間以下の場合は、前記サブフレームを分割しない非分割サブフレームとし、１フレームにおける発光順序を、前記分割サブフレームを表示した後に、前記非分割サブフレームを表示することを特徴とする請求項１記載の表示方法としたものであり、所定の発光時間以下のサブフレームを非分割フレームとすることで、高速な表示処理を必要としない表示方法である。
【００２２】
請求項３に記載の発明は、前記サブフレームが所定の発光時間以上の場合は、前記サブフレームを所定の発光時間となるよう等分割して多分割サブフレームとし、前記多分割サブフレームは、１フレーム表示中に連続して表示しないことを特徴とする請求項１または２の表示方法としたものであり、所定の発光時間以上のサブフレームを多分割フレームとすることで、擬似輪郭が防止でき、より改善された画像とすることができる表示方法である。
【００２３】
請求項４に記載の発明は、マトリックスに配置された発光素子で構成された表示部と、前記表示部へ表示データを送信する制御装置にて構成されたデジタル方式の表示装置であって、前記制御装置は、表示データを記憶するフレームメモリと、１フレームを所定の発光時間を有する複数のサブフレームに分割し、前記各サブフレームを分割サブフレームとして表示期間を２分割し、１フレームにおける前記分割サブフレームの発光順序を、発光時間の最も短い前記分割サブフレームから発光時間の最も長い前記分割サブフレームの順に表示した後、発光時間の最も長い前記分割サブフレームから発光時間の最も短い前記分割サブフレームの順に表示する表示制御部から構成されることを特徴とする表示装置としたものであり、時間的な発光の重心がフレームの中央となるように表示することで、擬似輪郭が防止できる表示装置である。
【００２４】
請求項５に記載の発明は、前記表示制御部は、前記サブフレームが所定の発光時間以下の場合は、前記サブフレームを分割しない非分割サブフレームとし、１フレームにおける発光順序を、前記分割サブフレームを表示した後に、前記非分割サブフレームを表示することを特徴とする請求項４記載の表示装置としたものであり、所定の発光時間以下のサブフレームを非分割フレームとすることで、発光素子のスイッチング速度の許す範囲で実施でき、高速に動作可能なフレームメモリや表示制御部を必要としない表示装置である。
【００２５】
請求項６に記載の発明は、前記表示制御部は、前記サブフレームが所定の発光時間以上の場合は、前記サブフレームを所定の発光時間となるよう等分割して多分割サブフレームとし、同一発光重みを有する前記多分割サブフレームは、１フレーム表示中に連続して表示しないことを特徴とする請求項４または５の表示装置としたものであり、所定の発光時間以上のサブフレームを多分割フレームとすることで、擬似輪郭が防止でき、より改善された画像とすることができる表示装置である。
【００２６】
（実施の形態１）
本発明の実施の形態１に係る表示装置について、図１に基づいて説明する。
【００２７】
図１は、本発明の実施の形態１に係る表示装置の構成図で、例えばＬＥＤによる表示装置である。
【００２８】
表示装置１は、ＬＥＤ６がマトリックスに配置されている表示部２と、ＬＥＤ６の「列」を制御するコモン切替部３と、ＬＥＤ６の「行」を制御するドライバＩＣ４と、コモン切替部３とドライバＩＣ４とを制御をする制御装置５とから構成される。
【００２９】
表示部２は、ＬＥＤ６が列方向および行方向にマトリックスに配置され、列方向に１６個、行方向に１６個ならべることで、２５６個のＬＥＤが１６×１６ドットの画面となる。
【００３０】
表示装置１を複数台、列方向および行方向に、マトリックスに並べ、１画面分の画像データを各表示装置１へ送信する画像分割制御装置(図示せず）を備えることで大画面を構成することができる。
【００３１】
コモン切替部３は、表示部２のＬＥＤ６を時分割してダイナミック点灯表示させるために、電流を流す「列」を切り替える。
【００３２】
ドライバＩＣ４は、制御装置５から送信される表示データに基づいて，ＬＥＤ６の「行」を制御し、ＬＥＤ６を点灯する場合には、該当する「行」を有効にする。
【００３３】
制御装置５は、制御装置５の外部からの画像データおよびその他制御信号を受信するインタフェース制御部７と、受信した画像データを記憶するフレームメモリ８と、フレームメモリ８の内容に基づいて表示を制御する表示制御部９とから構成される。
【００３４】
ＬＥＤ６は、コモン切替部３により「列」が有効となり、ドライバＩＣ４にて「行」が有効となった場合に、該当のＬＥＤ６が点灯する。
【００３５】
インタフェース制御部７は、外部から垂直同期信号と、水平同期信号と、画像データがクロックに同期して入力され、入力された画像データはフレームメモリ８に書き込まれる。
【００３６】
フレームメモリ８は、画像データを保持しており、書き込み用と読み込み用の２フレーム分容量を記憶する。また、表示部２にて１０２４階調を表現する場合には、各ドットあたり１０ビット分の値を記憶する。
【００３７】
表示制御部９は、フレームメモリ８から画像データを読み込み、各ビットに応じた発光時間によりサブフレームを生成し、コモン切替部３およびドライバＩＣ４を駆動する信号を表示データとして出力することで、動画の表示や階調表現をする。
【００３８】
以上の構成において、図２に基づいて表示装置の動作を説明する。
【００３９】
まず、予め画像データが、インタフェース制御部７を経由してフレームメモリ８へ書き込まれているものとする。
【００４０】
表示制御部９は、どのビットを読み込むかを決定する。表示制御部９は、この処理において表示順序を決定する。例えば、ＬＳＢから表示するのであれば、ビット０の読み込みを決定をする（Ｓ１）。表示制御部９は、フレームメモリ８のｎビット目の画像データを読み込む。ｎは、Ｓ１で決定したビットを示す（Ｓ２）。表示制御部９は、読み込んだ画像データが、点灯を示す「１」か、消灯を示す「０」であるかを判断する（Ｓ３）。画像データが点灯を示す「１」であれば、ドライバＩＣ４へ点灯を示す表示データを転送する（Ｓ４）。画像データが消灯を示す「０」であれば、ドライバＩＣ４へ消灯を示す表示データを転送する（Ｓ５）。表示制御部９は、該当するコモン切替部３に対して、各ビットに対応したサブフレームの発光時間有効とする。そして、フレームメモリ８の画像データ読み込み処理Ｓ１へ戻る。表示制御部９は本ステップにおいて、各ビットに対応する発光時間または分割の方法による発光時間を制御している（Ｓ６）。
【００４１】
次に、フレームメモリ８に対応した、表示制御部９の階調表現について説明をする。
【００４２】
例えば、表示部２にて１０２４階調を表現する場合には、１フレームをサブフレームとして１０分割し、各サブフレームの発光時間を、１：２：４：８：１６：３２：６４：１２８：２５６：５１２の２のべき乗とすると、全てが発光しない「０」から最も発光時間の長い１＋２＋４＋８＋１６＋３２＋６４＋１２８＋２５６＋５１２＝１０２３となり、１０２４階調の表示が可能となる。
【００４３】
これを、フレームメモリ８に対応させる。フレームメモリ８に各ドットに１０ビット分の記憶容量を有しており、このビット列をサブフレームに対応させる。ＬＳＢであるビット０が有効とした場合は発光時間「１」とし、ＭＳＢであるビット９が有効とした場合には、発光時間「５１２」とする。つまり、ビット０は、最小発光時間である「１」であり、最も発光重みの軽いサブフレームに対応し、ビット９は、最大発光時間である「５１２」であり、最も発光重みの重いサブフレームに対応する。全てのビットが有効である場合、ビット０の「１」のサブフレームからビット９の「５１２」のサブフレームまでの合計で、「１０２３」の発光時間の１フレームとなる。このようにして表示制御部９は、階調表現を制御する。
【００４４】
次に、表示制御部９が表示部２に対して表示処理する、１フレームの発光時間について説明する。
【００４５】
１フレームは、動画を１枚の画像として表示をする最小単位であり、１秒間に例えば６０枚の画像を表示する。つまり、１フレームの表示時間は、１／６０秒である。１フレームは、上述したように、１０２４階調で階調表現をする場合には、１０分割するので、１０サブフレームで構成される。表示制御部９は、サブフレームとサブフレームの間に切替え時間を２μｓ要し、１フレームは、最大「１０２３」の発光時間なので「１」あたり、（１／６０秒−２μｓ×１０）÷１０２３≒１６.２μｓの発光時間となる。従ってビット０が有効である場合には、約１６.２μｓの発光時間のサブフレームとなり、ビット９が有効な場合には、約８.３ｍｓの発光時間のサブフレームとなる。
【００４６】
表示部２は、１６×１６のマトリックスにＬＥＤ６を配置し、表示制御部９によりダイナミック点灯方式で表示をするため、１列のＬＥＤ６が表示される時間はその１／１６となる。従って、表示制御部９は、発光重みの最も軽いサブフレームの１個のＬＥＤの発光時間（１／６０−２μｓ×１０×１６）÷１０２３×１／１６≒１.０μｓの表示処理をしている。
【００４７】
以上のような動作において、実施の形態１の表示方法を、図３に基づいて説明をする。
【００４８】
図３は、本発明の実施の形態１に係る表示装置の表示制御部の発光タイミングを示す説明図である。
【００４９】
図３においては、実際のサブフレームは、２のべき乗で発光時間が異なるが、便宜上、各サブフレームを同じ時間幅として図示した。
【００５０】
階調表現としてフレームメモリ８にドットごとに１０ビット分の記憶容量を有し、１０２４階調を表現するものとする。よって、１フレームは１０サブフレームから構成される。
【００５１】
各サブフレームは、発光時間を２分割して分割サブフレームとする。そして、発光時間の最も短い分割サブフレームから発光時間の最も長い分割サブフレームの順に表示をした後、発光時間の最も長い分割サブフレームから発光時間の最も短い分割サブフレームを表示する。
【００５２】
例えば、０〜９ビットで１０２４階調表現する場合、まず、ＬＳＢであるビット０に相当するサブフレームの１／２時間のデータを表示し、次にビット１の１／２時間、そして、ビット２の１／２時間の順に表示し、最後にＭＳＢビット９の１／２時間を表示する。ＬＳＢからＭＳＢまで表示を終えたら、逆にＭＳＢであるビット９の１／２時間、次に、ビット８の１／２時間の順に表示し、最後にＬＳＢであるビット０の１／２時間まで表示をする。
【００５３】
図４は、本発明の実施の形態１に係る表示方法による発光タイミングにおいて、画像が移動した場合の表示内容を示す。
【００５４】
図４では、図を簡略とするために、階調表現を１６階調として説明をする。
【００５５】
１６階調であるため、１フレームを４サブフレームとする。サブフレームをＬＳＢであるビット０のサブフレームからＭＳＢであるビット３のサブフレームまでを２分割して分割サブフレームとする。
【００５６】
まずは、ビット０の分割サブフレームから表示し、次にビット１の分割サブフレーム、ビット２の分割サブフレーム、最後にＭＳＢであるビット３の分割サブフレームの順で表示する。ＬＳＢからＭＳＢまで表示し終えると、その逆であるＭＳＢであるビット３の分割サブフレームを表示し、最後にＬＳＢのビット０の分割サブフレームを表示する。
【００５７】
図４に示されるように、１フレームを表示した後に画像が１ドット分上方に移動した場合、階調７と階調８の間は、階調７．５となり、擬似輪郭が発生していないことがわかる。
【００５８】
このように、分割サブフレームの表示を、前半と後半とで、対称とすることで、１フレームごとに画像が動いた場合においても、点灯しているサブフレームが分散するため、擬似輪郭が防止できる。
【００５９】
（実施の形態２）
実施の形態１では、全てのサブフレームを分割して表示しているため、発光時間の短いサブフレームは、約１μｓの単位で制御する必要がある。その場合、各サブフレームの切替え時間が多く必要となり、また、発光素子のスイッチング速度も追いつかなくなる。従って、本実施の形態２では、所定の時間以上のサブフレームは分割サブフレームとせずに非分割サブフレームとし、分割サブフレームを表示した後に、非分割サブフレームを表示するものである。
【００６０】
本発明の実施の形態２に係る表示方法について、図５に基づいて説明する。なお、表示装置としては、図１と同じ構成であるため、説明は省略する。
【００６１】
図５は、本発明の実施の形態２に係る表示装置の表示制御部の発光タイミングを示す説明図である。
【００６２】
図５においては、実際のサブフレームは、２のべき乗で発光時間が異なるが、便宜上、各サブフレームを同じ時間幅として図示した。
【００６３】
階調表現としてフレームメモリ８にドットごとに１０ビット分の記憶容量を有し、１０２４階調を表現するものとする。よって、１フレームは１０サブフレームから構成される。
【００６４】
まず、発光時間が所定の時間以下のサブフレーム、例えばビット６以下のサブフレームは分割しない非分割サブフレームとする。ビット９〜ビット７は、分割サブフレームとして１／２時間とする。表示の順序は、発光時間の最も短いビット７の分割サブフレームを表示し、次にビット８、ビット９の分割サブフレームを表示する。分割サブフレームを表示した後に、非分割サブフレームであるビット０を表示し、次にビット１、の順にビット６まで表示をする。非分割サブフレームが表示した後に、分割サブフレームを、先程とは逆に、ビット９、ビット８、ビット７の順に表示する。
【００６５】
図６は、実施の形態２の表示方法による発光タイミングにおいて、画像が移動した場合の表示内容を示す。
【００６６】
図６に示されるように、１フレームを表示した後に画像が１ドット分上方に移動した場合、階調５１１と階調５１２の間は、階調５１１.５となり、擬似輪郭が発生していないことがわかる。
【００６７】
このように、サブフレームを、所定の発光時間より長い場合に、分割サブフレームとし、所定の発光時間より短い場合に、非分割サブフレームとして、発光順序を、分割サブフレームを表示した後に、非分割サブフレームを表示することで、高速に動作可能なフレームメモリ８や表示制御部９を必要せず、擬似輪郭が防止できる。
【００６８】
なお、本実施の形態では、ビット６以下に対応するサブフレームを非分割サブフレームとしたが、高速に動作可能なフレームメモリや表示制御部が用意できる場合は、可能な限り分割フレームとするのが望ましい。
【００６９】
（実施の形態３）
本発明の実施の形態３は、実施の形態２にて、分割サブフレームを２分割としたが、所定の発光時間以上のサブフレームは、等分割して多分割サブフレームとした。
【００７０】
本発明の実施の形態３について、図７に基づいて説明する。なお、表示装置としては、図１と同じ構成であるため、説明は省略する。
【００７１】
図７は、本発明の実施の形態３に係る表示制御部の発光タイミングを示す説明図であり、（ａ）と（ｂ）は、２種類の発光タイミングを示す。
【００７２】
図７においては、実際のサブフレームは、２のべき乗で発光時間が異なるが、便宜上、各サブフレームを同じ時間幅として図示した。
【００７３】
階調表現としてフレームメモリ８にドットごとに１０ビット分の記憶容量を有し、１０２４階調を表現するものとする。よって、１フレームは１０サブフレームから構成される。
【００７４】
まず、発光時間が所定の時間以下のサブフレーム、例えばビット６以下のサブフレームは分割しない非分割サブフレームとする。ビット８、ビット７は、分割サブフレームとして２分割する。そしてビット９を４分割して多分割サブフレームとする。そして、多分割サブフレームは、連続して同じ発光重みの多分割サブフレームを表示しない。
【００７５】
まず、ビット９に対応するサブフレームを多分割サブフレームとして１／４時間表示する。次に、ビット６およびビット７の分割サブフレームを表示し、そしてビット９の多分割サブフレームを表示し、ビット０〜ビット５の非分割サブフレームを表示する。以降は、逆の表示手順となる。ビット９の多分割サブフレームを表示し、ビット７、６の分割サブフレームを表示し、最後に、ビット９の多分割サブフレームを表示する（図７（ａ））。
【００７６】
本実施の形態の表示方法は、連続して同じ発光重みの多分割サブフレームを表示しなければよいので、ビット６の分割サブフレームの表示をした後に、ビット９の４分割した多分割サブフレームを表示し、そしてビット７の分割サブフレームを表示する順序でもよい（図７（ｂ））。
【００７７】
図８および図９は、実施の形態３の表示方法による発光タイミングにおいて、画像が移動した場合の表示内容を示す。図８は、１フレームあたり１ドット移動した場合、図９は、１フレームあたり２ドット分ほど画像が移動した場合を示す。図７に示されるように、１フレームを表示した後に画像が１ドット分上方に移動した場合、階調５１１と階調５１２の間は、階調５１１.５となり、擬似輪郭の発生が緩和されていることがわかる。また、図９では、１フレームあたり２ドット分移動すると、階調５１１が階調４７７.５となり、階調５１２は、階調５１１.５となり、その境界においては、階調５１１となる。従って、１フレームあたり２ドット移動した場合においても、擬似輪郭の発生が防止されているとともに、より改善された画像の表示方法となっている。
【００７８】
また、上述した実施の形態では、フレームメモリ８を１０ビット分の記憶容量を備えた１０２４階調において、ビット９のサブフレームを４分割し多分割サブフレームとした表示方法を例に説明をしたが、１１ビット分の記憶容量を備え、２０４８階調の階調表現を備えた表示装置の場合、図１０に示すように、ビット１０のサブフレームを８分割の多分割サブフレームとすることも可能である。
【００７９】
図１０においては、実際のサブフレームは、２のべき乗で発光時間が異なるが、便宜上、サブフレーム、分割サブフレームおよび多分割サブフレームを同じ時間幅として図示した。  図１０（ａ）および（ｂ）ともに、表示制御部９にて、フレームメモリ８の画像データのＭＳＢであるビット１０を８分割し多分割フレームとし、連続して同じ発光重みの多分割サブフレームを表示しないことで、発光の分散が可能となり、擬似輪郭が防止できる。
【００８０】
なお、本実施形態では、１０２４階調の階調表現の場合はビット９を４分割、２０４８階調の場合はビット１０を８分割した例で説明をしたが、高速に動作可能なフレームメモリや表示制御部が用意できる場合は、可能な限り多くのビットを４分割、８分割、１６分割またはそれ以上の多分割フレームとするのが望ましい。
【産業上の利用可能性】
【００８１】
以上のように、本発明にかかる表示方法は、デジタル方式で表示されるディスプレイ装置の表示方法として有用であり、特に疑似輪郭が発生しやすい表示装置に適している。
【図面の簡単な説明】
【００８２】
【図１】本発明の実施の形態１に係る表示装置の構成図
【図２】本発明の実施の形態１に係る表示装置の動作を示すフローチャート
【図３】本発明の実施の形態１に係る表示制御部の発光タイミングを示す説明図
【図４】本発明の実施の形態１に係る表示方法による発光タイミングにおいて、画像が移動した場合の表示内容を示す図
【図５】本発明の実施の形態２に係る表示制御部の発光タイミングを示す説明図
【図６】本発明の実施の形態２に係る表示方法による発光タイミングにおいて、画像が移動した場合の表示内容を示す図
【図７】本発明の実施の形態３に係る発光タイミングを示す説明図
【図８】本発明の実施の形態３に係る表示方法による発光タイミングにおいて、１ドット分画像が移動した場合の表示内容を示す図
【図９】本発明の実施の形態３に係る表示方法による発光タイミングにおいて、２ドット分画像が移動した場合の表示内容を示す図
【図１０】本発明の実施の形態３に係る表示方法による発光タイミングにおいて、２０４８階調の階調表現をした場合のタイミングの説明図
【図１１】従来の表示方法において擬似輪郭が発生する原理の説明図
【符号の説明】
【００８３】
１  表示装置
２  表示部
３  コモン切替部
４  ドライバＩＣ
５  制御装置
６  ＬＥＤ
７  インタフェース制御部
８  フレームメモリ
９  表示制御部
【図１】
2005084306.tif 000003
【図２】
2005084306.tif 000004
【図３】
2005084306.tif 000005
【図４】
2005084306.tif 000006
【図５】
2005084306.tif 000007
【図６】
2005084306.tif 000008
【図７】
2005084306.tif 000009
【図８】
2005084306.tif 000010
【図９】
2005084306.tif 000011
【図１０】
2005084306.tif 000012
【図１１】
2005084306.tif 000013